(57)【要約】【課題】表示パネルに応力が伝わりにくくする。【解決手段】表示装置１００は、面状光源装置６０と、応力低減部４１，４２とを備える。面状光源装置６０は、光学装置５０を収容するフレーム９と、フレーム９とフレーム１１との間に設けられるフレーム３０とを含む。フレーム３０は、サブフレーム３１とサブフレーム３２と応力低減部４３とから構成される。表示パネル２０は、フレーム１１とサブフレーム３２とにより保持される。応力低減部４２は、表示パネル２０の反表示面２０ｂとサブフレーム３２との間に設けられる。応力低減部４３は、サブフレーム３１およびサブフレーム３２に接するように、サブフレーム３１とサブフレーム３２との間に設けられる。【選択図】図２
2015220055.tif 000002
【特許請求の範囲】
【請求項１】
表示面を有し、光を利用して当該表示面に画像を表示する表示パネルと、
応力を低減する第１応力低減部および第２応力低減部と、
前記表示パネルに対し前記光を照射する光学装置、および、前記光学装置を収容する第１フレームを含む面状光源装置と、
前記第１フレームと接続されることにより、前記表示面側から前記表示パネルを保持する第２フレームと、を備え、
前記面状光源装置は、さらに、
前記第１フレームと前記第２フレームとの間に設けられる第３フレームを含み、
前記第３フレームは、第１サブフレームと、第２サブフレームと、応力を低減する第３応力低減部とから構成され、
前記光学装置は、前記第１フレームと前記第１サブフレームとにより保持され、
前記表示パネルは、前記第２フレームと前記第２サブフレームとにより保持され、
前記第１応力低減部は、前記第２フレームと前記表示面とに接するように、当該第２フレームと当該表示面との間に設けられ、
前記第２応力低減部は、前記表示パネルのうち、前記表示面と反対側の面である反表示面と前記第２サブフレームとに接するように、当該反表示面と当該第２サブフレームとの間に設けられ、
前記第３応力低減部は、前記第１サブフレームおよび前記第２サブフレームに接するように、当該第１サブフレームと当該第２サブフレームとの間に設けられる
表示装置。
【請求項２】
前記第２応力低減部は、前記表示パネルの前記反表示面の周縁部に接するように設けられ、
前記第２サブフレームは、平面視において、前記第２応力低減部と重なる位置に設けられる
請求項１に記載の表示装置。
【請求項３】
前記面状光源装置は、さらに、
前記第１サブフレームおよび前記第１フレームに接するように、当該第１サブフレームと当該第１フレームとの間に設けられ、自身に加わる応力を低減する第４応力低減部を含む
請求項１または２に記載の表示装置。
【請求項４】
前記表示パネルは、横電界方式の液晶表示パネルである
請求項１から３のいずれか１項に記載の表示装置。
【発明の詳細な説明】
【技術分野】
【０００１】
本発明は、表示パネルを備える表示装置に関する。
【背景技術】
【０００２】
従来の表示装置は、液晶表示パネル、面状光源装置等から構成される。当該液晶表示パネルは、光を利用して画像を表示する。液晶表示パネルは、２枚のガラス基板を用いて構成される。面状光源装置は、液晶表示パネルに光を照射する。面状光源装置は、フロントフレーム、光源、導光板、光学シート、ミドルフレーム、リアフレーム等から構成される。当該フロントフレームは、金属等で構成される。当該光源は、光を出射する。
【０００３】
液晶表示パネルは、例えば、クッションにより、当該液晶表示パネルの２枚のガラス基板の両方を押圧されることにより、固定される。しかしながら、この固定方法では、２枚のガラス基板間のギャップの部分的な変化により、表示ムラが発生する。
【０００４】
特許文献１には、２枚のガラス基板間のギャップの変化を防止する技術（以下、関連技術Ａともいう）が開示されている。具体的には、関連技術Ａでは、異なる寸法の２枚のガラス基板を使用する。また、関連技術Ａでは、２枚のガラス基板のうち、一方のガラス基板のみをゴムクッションを用いて固定する。
【先行技術文献】
【特許文献】
【０００５】
【特許文献１】特開平７−２８１１８４号公報（図４２、段落０１７７）
【発明の概要】
【発明が解決しようとする課題】
【０００６】
しかしながら、関連技術Ａには、以下のような問題点がある。具体的には、関連技術Ａでは、シールドケースと下側ケースとを嵌合させることにより、表示パネル（液晶表示パネル）を固定している。なお、関連技術Ａでは、シールドケースと表示パネルとの間には絶縁シートが設けられ、下側ケースと表示パネルとの間には遮光スペーサが設けられる。そのため、例えば、シールドケースまたは下側ケースに大きな応力が加わった場合、当該応力が、ほぼそのまま、表示パネルに伝わる。この場合、表示パネルが撓み、当該表示パネルが破損するといった不具合が発生する可能性がある。
【０００７】
本発明は、このような問題を解決するためになされたものであり、表示パネルに応力が伝わりにくくすることが可能な表示装置を提供することを目的とする。
【課題を解決するための手段】
【０００８】
上記目的を達成するために、本発明の一態様に係る表示装置は、表示面を有し、光を利用して当該表示面に画像を表示する表示パネルと、応力を低減する第１応力低減部および第２応力低減部と、前記表示パネルに対し前記光を照射する光学装置、および、前記光学装置を収容する第１フレームを含む面状光源装置と、前記第１フレームと接続されることにより、前記表示面側から前記表示パネルを保持する第２フレームと、を備え、前記面状光源装置は、さらに、前記第１フレームと前記第２フレームとの間に設けられる第３フレームを含み、前記第３フレームは、第１サブフレームと、第２サブフレームと、応力を低減する第３応力低減部とから構成され、前記光学装置は、前記第１フレームと前記第１サブフレームとにより保持され、前記表示パネルは、前記第２フレームと前記第２サブフレームとにより保持され、前記第１応力低減部は、前記第２フレームと前記表示面とに接するように、当該第２フレームと当該表示面との間に設けられ、前記第２応力低減部は、前記表示パネルのうち、前記表示面と反対側の面である反表示面と前記第２サブフレームとに接するように、当該反表示面と当該第２サブフレームとの間に設けられ、前記第３応力低減部は、前記第１サブフレームおよび前記第２サブフレームに接するように、当該第１サブフレームと当該第２サブフレームとの間に設けられる。
【発明の効果】
【０００９】
本発明によれば、表示装置は、面状光源装置と、第１応力低減部および第２応力低減部とを備える。前記面状光源装置は、光学装置を収容する第１フレームと、前記第１フレームと前記第２フレームとの間に設けられる第３フレームとを含む。前記第３フレームは、第１サブフレームと第２サブフレームと第３応力低減部とから構成される。前記表示パネルは、前記第２フレームと前記第２サブフレームとにより保持される。前記第２応力低減部は、前記表示パネルの反表示面と当該第２サブフレームとの間に設けられる。前記第３応力低減部は、前記第１サブフレームおよび前記第２サブフレームに接するように、当該第１サブフレームと当該第２サブフレームとの間に設けられる。
【００１０】
よって、第１応力低減部および第２応力低減部により表示パネルに伝わる応力を吸収するとともに、第１応力低減部および第２応力低減部により吸収されなかった応力を、第３応力低減部で吸収することができる。これにより、表示パネルに応力が伝わりにくくすることができる。
【図面の簡単な説明】
【００１１】
【図１】本発明の実施の形態１に係る表示装置の分解斜視図である。
【図２】本発明の実施の形態１に係る表示装置の断面図である。
【図３】本発明の実施の形態２に係る表示装置の断面図である。
【図４】本発明の実施の形態３に係る表示装置の断面図である。
【発明を実施するための形態】
【００１２】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１３】
なお、実施の形態において例示される各構成要素の寸法、材質、形状、それらの相対配置などは、本発明が適用される装置の構成や各種条件により適宜変更されるものであり、本発明はそれらの例示に限定されるものではない。また、各図における各構成要素の寸法は、実際の寸法と異なる場合がある。
【００１４】
＜実施の形態１＞
（表示装置の全体の構成）
図１は、本発明の実施の形態１に係る表示装置１００の分解斜視図である。図１において、Ｘ，Ｙ，Ｚ方向の各々は、互いに直交する。以下の図に示されるＸ，Ｙ，Ｚ方向の各々も、互いに直交する。以下においては、Ｘ方向と、当該Ｘ方向の反対の方向（−Ｘ方向）とを含む方向をＸ軸方向ともいう。また、以下においては、Ｙ方向と、当該Ｙ方向の反対の方向（−Ｙ方向）とを含む方向をＹ軸方向ともいう。また、以下においては、Ｚ方向と、当該Ｚ方向の反対の方向（−Ｚ方向）とを含む方向をＺ軸方向ともいう。
【００１５】
また、以下においては、Ｘ軸方向およびＹ軸方向を含む平面を、ＸＹ面ともいう。また、以下においては、Ｘ軸方向およびＺ軸方向を含む平面を、ＸＺ面ともいう。また、以下においては、Ｙ軸方向およびＺ軸方向を含む平面を、ＹＺ面ともいう。
【００１６】
図２は、本発明の実施の形態１に係る表示装置１００の断面図である。具体的には、図２は、図１のＡ１−Ａ２線に沿った、組み立てられた表示装置１００の断面図である。表示装置１００は、例えば、液晶を利用して画像を表示する液晶表示装置である。なお、表示装置１００は、液晶表示装置に限定されず、他の方式の表示装置であってもよい。
【００１７】
図１および図２を参照して、表示装置１００は、表示パネル２０と、面状光源装置６０と、フレーム１１と、を備える。
【００１８】
面状光源装置６０は、光を出射する装置である。面状光源装置６０は、フレーム３０と、光学装置５０と、フレーム９とを含む。
【００１９】
光学装置５０は、詳細は後述するが、表示パネル２０に対し光を照射する。フレーム９は、光学装置５０を収容する。フレーム９は、例えば、金属等で構成される。フレーム３０は、フレーム９とフレーム１１との間に設けられる中間フレームである。
【００２０】
フレーム１１は、表示装置１００の前面に設けられるフロントフレーム（上フレーム）である。フレーム９は、表示装置１００の背面に設けられるリアフレーム（下フレーム）である。
【００２１】
フレーム１１は、フレーム９と接続される。具体的には、フレーム１１は、フレーム９と係合される。なお、図２では、構成を見やすくするために、フレーム１１とフレーム９とが係合される構成を示していない。
【００２２】
また、フレーム９は、フレーム３０と係合される。なお、図２では、構成を見やすくするために、フレーム９とフレーム３０とが係合される構成を示していない。フレーム９とフレーム３０とが係合されることにより、当該フレーム９およびフレーム３０により、光学装置５０が保持される。なお、フレーム９は、底面９ｚを有する。
【００２３】
表示パネル２０は、横電界方式の液晶表示パネルである。なお、表示パネル２０は、液晶表示パネルに限定されず、他の方式の表示パネルであってもよい。表示パネル２０は、表示面２０ａおよび反表示面２０ｂを有する。表示面２０ａは、画像を表示するための面である。反表示面２０ｂは、表示パネル２０のうち、表示面２０ａと反対側の面である。表示パネル２０は、光学装置５０が出射する光を利用して表示面２０ａに画像を表示する。具体的には、表示パネル２０は、表示面２０ａのうち、後述するフレーム１１の開口により、外部に露出される領域（以下、表示領域ともいう）に画像を表示する。
【００２４】
なお、フレーム１１は、フレーム９と接続されることにより、表示面２０ａ側から表示パネル２０を保持する。
【００２５】
光学装置５０は、光学シート類５と、導光板６と、反射シート７と、光源８とを含む。光源８は、光を出射する。光源８は、フレーム９内に設けられる。
【００２６】
導光板６は、光源８が出射した光を面状に伝播する。導光板６は、出射面６ａと、反出射面６ｂとを有する。出射面６ａは、光が出射される面である。反出射面６ｂは、導光板６のうち、出射面６ａと反対側の面である。
【００２７】
反射シート７は、導光板６の反出射面６ｂ側に設けられる。反射シート７は、光を反射させるシートである。反射シート７の存在により、導光板６から−Ｚ方向へ出射した光は、反射シート７に反射して、再び、導光板６に入射する。
【００２８】
光学シート類５は、導光板６の出射面６ａ上に設けられる。光学シート類５は、出射面６ａから出射される光を、拡散および制御するためのシートである。
【００２９】
表示装置１００は、さらに、応力低減部４１，４２，４３を備える。応力低減部４１，４２，４３の各々は、自身に加わる応力を低減する部材である。応力低減部４１は、詳細は後述するが、表示面２０ａの周縁部に接するように、フレーム１１と当該表示面２０ａとの間に設けられる。
【００３０】
応力低減部４２は、詳細は後述するが、反表示面２０ｂの周縁部に接するように、反表示面２０ｂとフレーム３０との間に設けられる。応力低減部４３については、後述する。
【００３１】
次に、表示パネル２０、導光板６、光学シート類５、反射シート７、応力低減部４１，４２，４３について詳細に説明する。
【００３２】
（表示パネル）
表示パネル２０は、前述したように、液晶表示パネルである。液晶表示パネルは、液晶材料の複屈折性を応用したパネルである。液晶表示パネルは、カラーフィルター基板と、ＴＦＴ基板と、スペーサーと、シール材と、液晶層と、配向膜と、偏光板とを含む。
【００３３】
カラーフィルター基板およびＴＦＴ基板の各々は、ガラスで構成されるガラス基板である。カラーフィルター基板は、基板上に、カラーフィルター、遮光層、対向電等が形成されたものである。また、ＴＦＴ基板は、基板上に、薄型トランジスタを含む画素電極等が形成されたものである。以下においては、薄型トランジスタを、ＴＦＴ（Thin Film Transistor）ともいう。ＴＦＴは、基板上に設けられたスイッチング素子である。
【００３４】
カラーフィルター基板およびＴＦＴ基板は、対向するように設けられる。スペーサーは、カラーフィルター基板と、ＴＦＴ基板との間に、所定の間隔（ギャップ）を作成するように設けられる。シール材は、カラーフィルター基板およびＴＦＴ基板を、互いに張り合わせるための部材である。液晶層は、カラーフィルター基板とＴＦＴ基板とにより挟持される。配向膜は、液晶層を構成する液晶を配向させるための膜である。偏光板は、特定の方向に振動する光のみを透過させる。
【００３５】
液晶表示パネルは、スイッチング素子（ＴＦＴ）をオン状態又はオフ状態に変化させることにより液晶層の液晶の配向を制御する。そして、液晶表示パネルは、当該液晶表示パネルに入射された光を、映像信号に合わせて変調する。これにより、液晶表示パネルは、画像の表示を行なう。
【００３６】
なお、表示パネル２０は、液晶表示パネルに限定されず、例えば、字、絵が透明板に印刷された表示パネル等であってもよい。
【００３７】
（導光板）
導光板６は、透明材料により構成されている。当該透明材料は、アクリル樹脂、ポリカーボネート樹脂、ガラス等である。また、導光板６の反出射面６ｂには、光散乱部（図示せず）が形成されている。当該光散乱部は、出射面６ａから光が出射されるように、導光板６に入射された光の伝播方向を乱す構造を有する。
【００３８】
光散乱部は、光を導光板６の内部に向かって反射させる反射手段として機能する。当該反射手段は、例えば、反出射面６ｂにドットを印刷することにより構成される。また、反射手段は、例えば、反出射面６ｂを粗面化してシボ面を形成することにより構成される。また、反射手段は、例えば、反出射面６ｂに、微小な球面、凸凹等を形成することにより構成される。
【００３９】
（光学シート類）
光学シート類５は、レンズシート、拡散シート等を組合せて構成される。また、光学シート類５は、レンズシートを拡散シートで挟み込むことにより構成されてもよい。また、輝度向上のために、光学シート類５は、プリズムの方向を最適に組み合わせた複数のレンズシートで構成されてもよい。また、光学シート類５は、光の拡散性を向上させるために、２枚以上の拡散シートで構成されてもよい。また、光学シート類５は、１枚の光学シートで構成されてもよい。なお、光学装置５０は、光学シート類５を含まない構成としてもよい。
【００４０】
（反射シート）
反射シート７は、例えば、ポリエチレン（ｐｏｌｙｅｔｈｙｌｅｎｅ）またはポリエチレンテレフタレート（ｐｏｌｙｅｔｈｙｌｅｎｅ  ｔｅｒｅｐｈｔｈａｌａｔｅ）に、硫酸バリウムまたは酸化チタンを混ぜ合わせた材料で構成される。
【００４１】
なお、反射シート７は、例えば、樹脂に微細な気泡を形成した材料で構成されてもよい。また、反射シート７は、例えば、金属板に銀を蒸着した材料で構成されてもよい。また、反射シート７は、例えば、金属板に、酸化チタンを含む塗料を塗布した材料で構成されてもよい。
【００４２】
反射シート７の反射率は、反射面での反射ロスを抑えるために、９０％以上であることが望ましい。そのため、反射シート７は、例えば、鏡面反射を実現するための材料で構成されてもよい。反射シート７の存在により、導光板６から−Ｚ方向へ出射した光は、反射シート７に反射して、再び、導光板６に入射する。そのため、光の利用効率を向上させることができる。
【００４３】
（フレーム）
フレーム９の形状は、開口を有する箱型である。フレーム９は、光学装置５０を収容して、当該光学装置５０を保持している。フレーム９は、金属により構成される。なお、フレーム９は、金属に限定されず、例えば、樹脂により構成されてもよい。
【００４４】
フレーム３０の形状は、閉ループ状、すなわち、枠状である。フレーム３０には、当該フレーム３０がフレーム９と係合するための係合部（図示せず）が形成される。フレーム３０は、樹脂により構成される。なお、フレーム３０は、樹脂に限定されず、例えば、金属により構成されてもよい。
【００４５】
フレーム１１の形状は、閉ループ状、すなわち、枠状である。フレーム１１は、開口を有する。フレーム１１には、当該フレーム１１がフレーム９と係合するための係合部（図示せず）が形成される。フレーム１１とフレーム９とが係合されることにより、フレーム１１は、表示パネル２０および光学装置５０を保持する。
【００４６】
（応力低減部）
前述したように、応力低減部４１，４２，４３の各々は、自身に加わる応力を低減する部材である。例えば、応力低減部４３は、当該応力低減部４３自身に加わる応力を低減する部材である。応力低減部４１，４２，４３の各々は、表示装置１００に対する衝撃、表示装置１００で発生する振動等を和らげるための部材である。応力低減部４１，４２，４３の各々は、弾性を有する材料で構成される。応力低減部４１，４２，４３の各々は、例えば、クッションである。応力低減部４１，４２，４３の各々は、例えば、樹脂系の発泡体材料等で構成される。
【００４７】
応力低減部４１の形状は、閉ループ状（枠状）である。応力低減部４１は、フレーム１１と表示面２０ａとに接するように、フレーム１１と当該表示面２０ａとの間に設けられる。応力低減部４１は、表示面２０ａの周縁部に接するように設けられる。応力低減部４１は、例えば、両面テープにより、フレーム１１に固定される。
【００４８】
ここで、仮に、フレーム１１を−Ｚ方向へ押すための応力が、当該フレーム１１に加わるとする。この場合、フレーム１１を介して表示パネル２０へ向かう応力を、応力低減部４１が吸収（低減）する。これにより、表示パネル２０に大きな応力が加わることが抑制される。
【００４９】
応力低減部４２の形状は、応力低減部４１と同様、閉ループ状（枠状）である。応力低減部４２は、反表示面２０ｂとフレーム３０とに接するように、反表示面２０ｂとフレーム３０との間に設けられる。応力低減部４２は、表示パネル２０の反表示面２０ｂの周縁部に接するように設けられる。応力低減部４２は、例えば、両面テープにより、フレーム３０に固定される。
【００５０】
ここで、仮に、フレーム３０をＺ方向へ押すための応力が、当該フレーム３０に加わるとする。この場合、フレーム３０を介して表示パネル２０へ向かう応力を、応力低減部４２が吸収（低減）する。これにより、表示パネル２０に大きな応力が加わることが抑制される。
【００５１】
（特徴的な構成）
次に、本実施の形態における特徴的な構成について詳細に説明する。図１および図２に示すように、フレーム３０の形状は、閉ループ状（枠状）である。フレーム３０は、詳細は後述するが、サブフレーム３１と、サブフレーム３２と、応力低減部４３とから構成される。すなわち、フレーム３０は、サブフレーム３１，３２および応力低減部４３を組み合わせて構成される。
【００５２】
サブフレーム３１，３２の各々の形状は、閉ループ状（枠状）である。サブフレーム３１，３２は、例えば、閉ループ状のフレームが、当該フレームの厚み方向（Ｚ軸方向）に分割されたものである。
【００５３】
サブフレーム３１は、ＸＹ面と平行な面３１ｎと、底面３１ｚとを有する。面３１ｎは、サブフレーム３２に接続される面である。サブフレーム３２は、ＸＹ面と平行な面３２ｎを有する。面３２ｎは、面３１ｎに接続される面である。
【００５４】
応力低減部４３の形状は、閉ループ状（枠状）である。サブフレーム３１，３２は、面３１ｎと面３２ｎとが応力低減部４３を介して接続されることにより、一体化される。すなわち、応力低減部４３は、サブフレーム３１およびサブフレーム３２に接するように、当該サブフレーム３１と当該サブフレーム３２との間に設けられる。応力低減部４３の一方の面および他方の面は、粘着材（例えば、接着材）により、面３１ｎおよび面３２ｎにそれぞれ固定される。
【００５５】
なお、応力低減部４３は、サブフレーム３１，３２を隙間なく接続するように設けられる。具体的には、応力低減部４３は、面３１ｎおよび面３２ｎの各々の全体に接するように設けられる。
【００５６】
また、ＸＹ面における応力低減部４３の面積は、ＸＹ面における応力低減部４１の面積、および、ＸＹ面における応力低減部４２の面積より大きい。
【００５７】
サブフレーム３１は、当該サブフレーム３１の一部が、導光板６の側面６ｓに対向するように設けられる。サブフレーム３１は、フレーム９の底面９ｚに固定される。具体的には、サブフレーム３１の底面３１ｚは、例えば、粘着材により、フレーム９の底面９ｚに接続される。光学装置５０は、フレーム９とサブフレーム３１とにより挟まれる。すなわち、光学装置５０（光学シート類５、導光板６等）は、フレーム９とサブフレーム３１とにより保持される。つまり、サブフレーム３１は、光学装置５０（光学シート類５、導光板６等）を保持する保持部材である。
【００５８】
サブフレーム３２は、表示パネル２０を支持するように設けられる。表示パネル２０は、フレーム１１とサブフレーム３２とにより保持される。サブフレーム３２は、表示パネル２０の反表示面２０ｂの端部を保持する保持部材である。
【００５９】
なお、応力低減部４１，４２，４３は、平面視（ＸＹ面）において、少なくとも一部が重なるように、配置される。
【００６０】
また、応力低減部４３は、サブフレーム３１，３２の両方または一方に対し応力が加わった場合、Ｘ軸方向に伸張する。以下においては、Ｘ軸方向に伸張した状態の応力低減部４３を、伸張応力低減部ともいう。
【００６１】
表示装置１００は、伸張応力低減部と、他の部材が接触しないように構成される。すなわち、図２のように、応力低減部４３のＸ軸方向の近傍には、光学シート類５等が配置されない空間が設けられる。つまり、応力低減部４３の端部に近い、サブフレーム３１，３２の側面側には、空間が設けられる。なお、光学シート類５等は、サブフレーム３１により保持させる構成とする。これにより、伸張応力低減部（応力低減部４３）が、光学シート類５と接触することが防止される。
【００６２】
次に、本実施の形態の構成による作用について説明する。ここで、一例として、表示装置１００において、フレーム１１に対する応力の発生、フレーム１１の変形等により、表示パネル２０へ向かう応力が発生したとする。この場合、応力低減部４１，４２により、当該応力が吸収（低減）される。
【００６３】
しかしながら、応力低減部４１，４２により吸収される応力は、ＸＹ面における、応力低減部４１，４２各々の面積の範囲内に限定される。そのため、仮に、応力低減部４３を設けていない構成（以下、比較構成Ｎともいう）では、応力低減部４１，４２において吸収不能な応力が表示パネル２０に加わる場合がある。その結果、比較構成Ｎでは、表示パネル２０における前述のギャップに変化が生じる場合がある。
【００６４】
そこで、本実施の形態によれば、フレーム３０は、サブフレーム３１と、サブフレーム３２と、応力低減部４３とから構成される。応力低減部４３は、サブフレーム３１およびサブフレーム３２に接するように、当該サブフレーム３１と当該サブフレーム３２との間に設けられる。この構成により、応力低減部４１，４２により吸収不能な応力を、応力低減部４３により吸収（低減）することができる。
【００６５】
また、前述したように、応力低減部４３の端部に近い、サブフレーム３１，３２の側面側には、空間が設けられる。すなわち、応力低減部４３のＸ軸方向の近傍には、光学シート類５等を配置されない空間が設けられる。これにより、応力低減部４３による応力の吸収（低減）が阻害される事を防止することができる。
【００６６】
以上説明したように、本実施の形態によれば、表示装置１００は、面状光源装置６０と、応力低減部４１，４２とを備える。面状光源装置６０は、光学装置５０を収容するフレーム９と、フレーム９とフレーム１１との間に設けられるフレーム３０とを含む。フレーム３０は、サブフレーム３１とサブフレーム３２と応力低減部４３とから構成される。表示パネル２０は、フレーム１１とサブフレーム３２とにより保持される。応力低減部４２は、表示パネル２０の反表示面２０ｂとサブフレーム３２との間に設けられる。応力低減部４３は、サブフレーム３１およびサブフレーム３２に接するように、サブフレーム３１とサブフレーム３２との間に設けられる。
【００６７】
本実施の形態によれば、応力低減部４３は、サブフレーム３１およびサブフレーム３２に接するように、当該サブフレーム３１と当該サブフレーム３２との間に設けられる。これにより、例えば、表示パネル２０の表示面２０ａおよび反表示面２０ｂに、それぞれ接する応力低減部４１および応力低減部４２で吸収されなかった応力を、応力低減部４３で吸収することができる。そのため、表示パネル２０に応力が加わることを、防止または抑制することができる。すなわち、表示パネル２０に応力が伝わりにくくすることができる。その結果、表示パネル２０の２枚のガラス基板間のギャップに変化が生じることを、防止または抑制することができる。これにより、表示パネル２０において表示ムラが生じない表示装置１００を提供することができる。
【００６８】
ここで、例えば、フレーム９を介して、サブフレーム３１に応力が加わったとする。この場合、サブフレーム３１に加わる応力は、当該サブフレーム３１に接する応力低減部４３により低減される。そして、応力低減部４３により低減された応力が、サブフレーム３２を介して、表示パネル２０の反表示面２０ｂに接する応力低減部４２に伝わる。当該低減された応力は、応力低減部４２により、さらに低減される。そのため、フレーム１１とサブフレーム３２とにより保持される表示パネル２０に応力が伝わりにくくすることができる。
【００６９】
なお、応力の吸収量（低減量）は、当該応力が加わる部材の面積に比例する。なお、前述したように、ＸＹ面における応力低減部４３の面積は、ＸＹ面における応力低減部４１の面積、および、ＸＹ面における応力低減部４２の面積より大きい。これにより、応力低減部４３による応力の吸収量を増加させることができる。その結果、表示パネル２０における表示ムラを、さらに生じにくくすることができる。
【００７０】
一般に、表示パネル２０の端部に応力が加わった場合、応力の大きさによっては、表示パネル２０に含まれる一方の基板（ガラス）が歪む場合がある。前述したように、表示パネル２０は、横電界方式の液晶表示パネルである。横電界方式の液晶表示パネルは、液晶の長軸方向が、偏光板吸収軸と直交、または平行である。ここで、偏光板吸収軸とは、偏光板において光を吸収する軸である。歪んだ基板に光を照射した場合、ガラスにおいて光の複屈折が発生する。これにより、光漏れ等による表示ムラが引き起こされる場合がある。
【００７１】
そこで、本実施の形態では、応力低減部４３を設けて、表示パネル２０の端部にかかる応力の吸収量を増加させることにより、表示パネル２０に加わる応力を低減させる。これにより、特に横電界方式の液晶表示パネルにおいて、表示ムラを防止することができる。
【００７２】
なお、前述の関連技術Ａでは、２枚のガラス基板間のギャップの変化を防止する技術が開示されている。具体的には、関連技術Ａでは、異なる寸法の２枚のガラス基板を使用する。しかしながら、表示パネル（液晶表示パネル）の２枚のガラス基板の一方の寸法を変えることは、液晶表示パネルの設計変更および生産性を低下させることがある。
【００７３】
そこで、本実施の形態は上記のように構成されるため、関連技術Ａの上記の問題点を解決することができる。すなわち、表示パネルの設計変更を行うことなく、外部から表示パネルに応力が加わった場合において、表示パネルの２枚のガラス基板間のギャップが変化することを防止することができる。したがって、表示パネルにおいて表示ムラが生じない表示装置を提供することができる。
【００７４】
＜実施の形態２＞
本実施の形態では、実施の形態１のフレーム３０と異なる構造のフレームを使用した表示装置について説明する。
【００７５】
図３は、本発明の実施の形態２に係る表示装置１００Ａの断面図である。表示装置１００Ａは、図１および図２の表示装置１００と比較して、面状光源装置６０の代わりに面状光源装置６０Ａを備える点が異なる。表示装置１００Ａのそれ以外の構成は、表示装置１００と同様なので詳細な説明は繰り返さない。
【００７６】
面状光源装置６０Ａは、面状光源装置６０と比較して、フレーム３０の代わりにフレーム３０Ａを含む点が異なる。面状光源装置６０Ａのそれ以外の構成は、面状光源装置６０と同様なので詳細な説明は繰り返さない。
【００７７】
実施の形態１のフレーム３０は、閉ループ状のフレームが、当該フレームの厚み方向（Ｚ軸方向）に分割されたサブフレーム３１，３２から構成されていた。フレーム３０Ａは、主に、フレーム３０と形状が異なる。以下、フレーム３０Ａの構成について説明する。
【００７８】
フレーム３０Ａは、サブフレーム３１Ａと、サブフレーム３２Ａと、応力低減部４３Ａとから構成される。
【００７９】
サブフレーム３１Ａの形状は、図２のフレーム３０の形状と同様な形状である。サブフレーム３１Ａの形状は、閉ループ状（枠状）である。サブフレーム３１Ａには、凹部３１ｘが形成される。凹部３１ｘは、当該凹部３１ｘの底面である面３１ｘｎを有する。面３１ｘｎの形状は、閉ループ状（枠状）である。サブフレーム３１Ａは、フレーム３０を構成する材料と同じ材料で構成される。
【００８０】
サブフレーム３２Ａは、平面視（ＸＹ面）において、面３１ｘｎの形状と同一の形状を有する。また、サブフレーム３２Ａは、平面視（ＸＹ面）において、実施の形態１の応力低減部４２の形状と同一または同等の形状を有する。すなわち、サブフレーム３２Ａの形状は、閉ループ状（枠状）である。サブフレーム３２Ａは、フレーム３０を構成する材料と同じ材料で構成される。
【００８１】
応力低減部４３Ａは、応力低減部４３と比較して、平面視（ＸＹ面）におけるサイズが異なる。応力低減部４３Ａのそれ以外の構成および機能は、応力低減部４３と同様であるので詳細な説明は繰り返さない。応力低減部４３Ａの形状は、閉ループ状（枠状）である。応力低減部４３Ａは、平面視（ＸＹ面）において、面３１ｘｎの形状と同一または同等の形状を有する。
【００８２】
サブフレーム３１Ａは、応力低減部４３Ａを介して、サブフレーム３２Ａと接続される。具体的には、サブフレーム３１Ａの凹部３１ｘには、応力低減部４３Ａおよびサブフレーム３２Ａが設けられる。応力低減部４３Ａは、粘着材等により、サブフレーム３１Ａの面３１ｘｎ上に固定される。サブフレーム３２Ａは、粘着材等により、応力低減部４３Ａ上に固定される。
【００８３】
前述したように、応力低減部４２は、表示パネル２０の反表示面２０ｂの周縁部に接するように設けられる。また、応力低減部４２は、粘着材等により、サブフレーム３２Ａ上に固定される。すなわち、サブフレーム３２Ａは、平面視（ＸＹ面）において、応力低減部４２と重なる位置に設けられる。すなわち、平面視（ＸＹ面）において、サブフレーム３２Ａは、応力低減部４２と重なる位置（領域）において、応力低減部４３Ａを介して、サブフレーム３１Ａと接続される。
【００８４】
以上の構成により、サブフレーム３２Ａは、表示パネル２０の反表示面２０ｂの周縁部を支持するように設けられる。また、応力低減部４３Ａは、サブフレーム３１Ａおよびサブフレーム３２Ａに接するように、当該サブフレーム３１Ａと当該サブフレーム３２Ａとの間に設けられる。また、応力低減部４３Ａは、平面視（ＸＹ面）において、応力低減部４１，４２と重なる位置（領域）に設けられる。
【００８５】
表示装置１００Ａは、以上の構成のフレーム３０Ａを用いた構成とすることにより、実施の形態１と同様な作用および効果が得られる。
【００８６】
なお、応力低減部４３Ａの応力の吸収量（低減量）は、当該応力が加わる領域の面積に比例して大きくなる。そのため、応力低減部４３Ａの応力の吸収量は、実施の形態１の応力低減部４３の応力の吸収量（低減量）より小さい。しかしながら、実施の形態１の応力低減部４３を構成するためには、フレーム３０の大規模な設計変更が必要となる。
【００８７】
一方、サブフレーム３２Ａは、表示パネル２０の反表示面２０ｂの周縁部を支持するように構成される。そのため、小規模な設計変更で、フレーム３０Ａの構成を実現可能となる。また、部材の共通化も容易である。
【００８８】
＜実施の形態３＞
図４は、本発明の実施の形態３に係る表示装置１００Ｂの断面図である。表示装置１００Ｂは、図３の表示装置１００Ａと比較して、面状光源装置６０Ａの代わりに面状光源装置６０Ｂを備える点が異なる。表示装置１００Ｂのそれ以外の構成は、表示装置１００Ａと同様なので詳細な説明は繰り返さない。
【００８９】
面状光源装置６０Ｂは、面状光源装置６０Ａと比較して、応力低減部４４をさらに含む点が異なる。面状光源装置６０Ｂのそれ以外の構成は、面状光源装置６０Ａと同様なので詳細な説明は繰り返さない。
【００９０】
応力低減部４４は、当該応力低減部４４自身に加わる応力を低減する。応力低減部４４は、応力低減部４１を構成する材料と同じ材料で構成される。すなわち、応力低減部４４は、弾性を有する材料で構成される。応力低減部４４は、例えば、クッションである。応力低減部４４は、例えば、樹脂系の発泡体材料等で構成される。
【００９１】
応力低減部４４は、サブフレーム３１Ａおよびフレーム９に接するように、当該サブフレーム３１Ａと当該フレーム９との間に設けられる。サブフレーム３１Ａの底面は、応力低減部４４を介して、フレーム９の底面９ｚに接続される。
【００９２】
平面視（ＸＹ面）において、応力低減部４３Ａとは別の位置（領域）に応力低減部４４が設けられる。これにより、実施の形態２の構成において応力低減部４３Ａにより吸収できない応力を、応力低減部４４が吸収（低減）することができる。したがって、表示装置１００Ｂは、表示装置１００Ａよりも、応力の吸収量（低減量）を増加することができる。
【００９３】
なお、本発明は、その発明の範囲内において、各実施の形態を自由に組み合わせたり、各実施の形態を適宜、変形、省略することが可能である。
【００９４】
例えば、応力低減部４１，４２，４３、４３Ａ，４４の各々は、硬さを適宜選定しても良い。例えば、応力低減部４１，４２，４３、４３Ａ，４４の各々は、同じ固さを有していてもよい。また、例えば、応力低減部４１，４２，４３、４３Ａ，４４の各々は、異なる固さを有していてもよい。
【符号の説明】
【００９５】
９，１１，３０，３０Ａ  フレーム、２０  表示パネル、２０ａ  表示面、２０ｂ  反表示面、３１，３１Ａ，３２，３２Ａ  サブフレーム、４１，４２，４３，４３Ａ，４４  応力低減部、５０  光学装置、６０，６０Ａ，６０Ｂ  面状光源装置、１００，１００Ａ，１００Ｂ  表示装置。
【図１】
2015220055.tif 000003
【図２】
2015220055.tif 000004
【図３】
2015220055.tif 000005
【図４】
2015220055.tif 000006